(57)【要約】【課題】ポロシャツ内の湿気、蒸れ、べとつき等の不快感を軽減させ、換気性に優れたポロシャツを提供する。【解決手段】ポロシャツ１０の後身頃１２の背ヨーク１３の全部及び該背ヨーク下端１３ａに連結した袖ぐり部１５沿いの帯状領域１６にメッシュ部２０Ａ，２０Ｂが設けられ、前記背ヨーク１３のメッシュ部表面２１Ａは、縦方向に二つのスリット状の開口部３５Ａが設けられた該メッシュ部２０Ａと略同一形状の覆い布３０Ａが配されて縫着され、前記袖ぐり部１５沿いの帯状領域１６のメッシュ部表面２１Ｂは、該メッシュ部２０Ｂと略同一形状の覆い布３０Ｂが配されて袖ぐり部１５の少なくとも一部を開口した状態で縫着され、前記背ヨーク１３の覆い布３０Ａの開口部３５Ａ及び前記袖ぐり部１５の開口部３５Ｂと、背ヨーク１３のメッシュ部２０Ａ及び袖ぐり部１５沿いの帯状領域１６のメッシュ部２０Ｂとを通してポロシャツ１０の内外が連通されている。【選択図】図１
0003106813.tif 000002
【実用新案登録請求の範囲】
【請求項１】
ポロシャツ（１０）の後身頃（１２）の背ヨーク（１３）の全部及び該背ヨーク下端（１３ａ）に連結した袖ぐり部（１５）沿いの帯状領域（１６）にメッシュ部（２０Ａ，２０Ｂ）が設けられ、
前記背ヨーク（１３）のメッシュ部表面（２１Ａ）は、縦方向に二つのスリット状の開口部（３５Ａ）が設けられた該メッシュ部（２０Ａ）と略同一形状の覆い布（３０Ａ）が配されて縫着され、
前記袖ぐり部（１５）沿いの帯状領域（１６）のメッシュ部表面（２１Ｂ）は、該メッシュ部（２０Ｂ）と略同一形状の覆い布（３０Ｂ）が配されて袖ぐり部（１５）の少なくとも一部を開口した状態で縫着され、
前記背ヨーク（１３）の覆い布（３０Ａ）の開口部（３５Ａ）及び前記袖ぐり部（１５）の開口部（３５Ｂ）と、背ヨーク（１３）のメッシュ部（２０Ａ）及び袖ぐり部（１５）沿いの帯状領域（１６）のメッシュ部（２０Ｂ）とを通してポロシャツ（１０）の内外がそれぞれ連通されていることを特徴とするベンチレーション付きポロシャツ（１０）。
【請求項２】
前記覆い布（３０Ａ，３０Ｂ）が扁平断面を有するポリエステル繊維からなる請求項１に記載のベンチレーション付きポロシャツ（１０）。
【請求項３】
前記メッシュ部（２０Ａ，２０Ｂ）が吸放湿性及び接触冷感に優れたナイロン樹脂からなる請求項１又は２に記載のベンチレーション付きポロシャツ（１０）。
【考案の詳細な説明】
【技術分野】
【０００１】
この考案は、ポロシャツに関し、特には、ベンチレーションを有する換気性に優れたポロシャツに関する。
【背景技術】
【０００２】
従来、汗等による衣服内の湿気、蒸れ、べとつき等の不快感を軽減させ、換気性に優れ快適に着用できる衣服が提案されている。例えば、前面側と後面側とに夫々通風部を設け、該通風部が本体布に設けた開口にメッシュ等からなる通風性材を取り付けた構成であるウインドブレーカ用の外衣がある（特許文献１参照）。また、セーラーカラー背部に覆われる後身頃背上部・肩部分の生地にメッシュを用いた清涼セーラー服もある（特許文献２参照）。
【０００３】
ところで、一般にゴルフ、テニス等のスポーツ等を行う際に着用されるポロシャツは、特に、汗等による不快感を抑制して快適に着用でき、スポーツ等が楽しめることが望まれている。特に、背上部及び脇部は蒸れ感が大きく、この蒸れ感を一掃できることが望まれていた。そこで、本考案者は、ポロシャツの背上部及び脇部に対し、メッシュ部及び該メッシュ部と略同一形状の覆い布を設けるとともにポロシャツの内外を連通する開口部を設け、換気性に優れたポロシャツを製作するに至った。
【特許文献１】特許第２８７３２７４号公報
【特許文献２】特開２００１−２７９５１１号公報
【考案の開示】
【考案が解決しようとする課題】
【０００４】
この考案は、このような状況に鑑みなされたもので、ポロシャツ内の湿気、蒸れ、べとつき等の不快感を軽減させ、換気性に優れたポロシャツを提供しようとするものである。
【課題を解決するための手段】
【０００５】
請求項１の考案は、ポロシャツ（１０）の後身頃（１２）の背ヨーク（１３）の全部及び該背ヨーク下端（１３ａ）に連結した袖ぐり部（１５）沿いの帯状領域（１６）にメッシュ部（２０Ａ，２０Ｂ）が設けられ、前記背ヨーク（１３）のメッシュ部表面（２１Ａ）は、縦方向に二つのスリット状の開口部（３５Ａ）が設けられた該メッシュ部（２０Ａ）と略同一形状の覆い布（３０Ａ）が配されて縫着され、前記袖ぐり部（１５）沿いの帯状領域（１６）のメッシュ部表面（２１Ｂ）は、該メッシュ部（２０Ｂ）と略同一形状の覆い布（３０Ｂ）が配されて袖ぐり部（１５）の少なくとも一部を開口した状態で縫着され、前記背ヨーク（１３）の覆い布（３０Ａ）の開口部（３５Ａ）及び前記袖ぐり部（１５）の開口部（３５Ｂ）と、背ヨーク（１３）のメッシュ部（２０Ａ）及び袖ぐり部（１５）沿いの帯状領域（１６）のメッシュ部（２０Ｂ）とを通してポロシャツ（１０）の内外がそれぞれ連通されていることを特徴とするベンチレーション付きポロシャツ（１０）に係る。
【０００６】
また、請求項２の考案は、前記覆い布（３０Ａ，３０Ｂ）が扁平断面を有するポリエステル繊維からなる請求項１に記載のベンチレーション付きポロシャツ（１０）に係る。
【０００７】
請求項３の考案は、前記メッシュ部（２０Ａ，２０Ｂ）が吸放湿性及び接触冷感に優れたナイロン樹脂からなる請求項１又は２に記載のベンチレーション付きポロシャツ（１０）に係る。
【考案の効果】
【０００８】
この考案のベンチレーション付きポロシャツによれば、ポロシャツの後身頃の背ヨークの全部及び該背ヨーク下端に連結した袖ぐり部沿いの帯状領域にメッシュ部及び覆い布が設けられ、前記背ヨークの覆い布の開口部及び前記袖ぐり部の開口部と、背ヨークのメッシュ部及び袖ぐり部沿いの帯状領域のメッシュ部とを通してポロシャツの内外がそれぞれ連通されているので、ポロシャツ内の湿気、蒸れ、べとつき等の不快感を軽減させ、換気性に優れたポロシャツを得ることができた。特に、蒸れ感が大きい背上部及び脇部において蒸れを減少させることができ、快適に着用できる。
【０００９】
また、請求項２の考案によれば、請求項１の考案において、前記覆い布が扁平断面を有するポリエステル繊維からなるため、得られるポロシャツを吸水拡散、接触冷感に優れたより快適なものとすることができる。
【００１０】
請求項３の考案によれば、請求項１又は２の考案において、前記メッシュ部が吸放湿性及び接触冷感に優れたナイロン樹脂からなるため、汗等による蒸れを効果的に排除でき、得られるポロシャツをさらに快適なものとすることができる。
【考案を実施するための最良の形態】
【００１１】
以下添付の図面に従ってこの考案を詳細に説明する。図１は本考案の一実施例に係るベンチレーション付きポロシャツの背面図、図２は図１のベンチレーションの展開図である。
【００１２】
図１に、本考案のベンチレーション付きポロシャツ１０を示す。前記ポロシャツ１０は、後身頃１２の背ヨーク１３の全部及び該背ヨーク下端１３ａに連結した袖ぐり部１５沿いの帯状領域１６にメッシュ部２０Ａ，２０Ｂが設けられ、前記背ヨーク１３のメッシュ部表面２１Ａは、縦方向に二つのスリット状の開口部３５Ａが設けられた該メッシュ部２０Ａと略同一形状の覆い布３０Ａが配されて縫着され、前記袖ぐり部１５沿いの帯状領域１６のメッシュ部表面２１Ｂは、該メッシュ部２０Ｂと略同一形状の覆い布３０Ｂが配されて袖ぐり部１５の少なくとも一部を開口した状態で縫着され、前記背ヨーク１３の覆い布３０Ａの開口部３５Ａ及び前記袖ぐり部１５の開口部３５Ｂと、背ヨーク１３のメッシュ部２０Ａ及び袖ぐり部１５沿いの帯状領域１６のメッシュ部２０Ｂとを通してポロシャツ１０の内外がそれぞれ連通されている。図は、覆い布３０Ａ，３０Ｂの一部を持ち上げてその内側のメッシュ部２０Ａ，２０Ｂが見えるようにしたものである。このポロシャツ１０の開口部３５Ａ，３５Ｂ及びメッシュ部２０Ａ，２０Ｂは、外気が通風されるとともにポロシャツ１０内の湿気や熱気が外部へと排出されるように構成され、いわゆるベンチレーションとして機能するものである。
【００１３】
図２は、ベンチレーションの展開図であり、（Ａ）は覆い布３０Ａ，３０Ｂを配していない状態のポロシャツを表し、（Ｂ）は覆い布３０Ａ，３０Ｂを表す。前記メッシュ部２０Ａ，２０Ｂは、図２の（Ａ）に示すように、ポロシャツ１０の後身頃１２の背ヨーク１３の全部及び該背ヨーク下端１３ａに連結した袖ぐり部１５沿いの帯状領域１６に設けられており、背ヨーク１３及びその下端１３ａにおける後身頃１２袖ぐり部１５沿いの帯状領域１６の生地として構成されている。前記背ヨーク１３のメッシュ部２０Ａは、衿ぐり部１４において衿部４０に縫着され、肩切換え部１７においては前身頃（図示せず）に縫着され、袖ぐり部１５においては袖部４１に縫着されている。また、メッシュ部２０Ａの下端２２Ａは後身頃１２に縫着されている。一方、背ヨーク下端１３ａに連結した袖ぐり部１５沿いの帯状領域１６のメッシュ部２０Ｂは、背ヨーク下端１３ａにおいて背ヨーク１３のメッシュ部２０Ａに縫着され、袖ぐり部１５において袖部４１に縫着され、脇部１８において前身頃（図示せず）に縫着されている。また、このメッシュ部２０Ｂの袖側と反対側の端は後身頃１２に縫着されている。これらのメッシュ部２０Ａ，２０Ｂは、請求項３の考案として規定したように、吸放湿性及び接触冷感に優れたナイロン樹脂からなるものとすると、汗等による蒸れを効果的に排除できるため好ましい。
【００１４】
前記覆い布３０Ａ，３０Ｂは、図２の（Ｂ）に示すように、前記メッシュ部２０Ａ，２０Ｂと略同一形状であり、該メッシュ部２０Ａ，２０Ｂ表面に配される。背ヨーク１３のメッシュ部表面２１Ａに配される覆い布３０Ａは、衿ぐり部１４においてメッシュ部２０Ａとともに衿部１４に縫着され、肩切換え部１７においては、メッシュ部２０Ａとともに前身頃に縫着され、袖ぐり部１５においては、メッシュ部２０Ａとともに袖部４１に縫着されている。また、覆い布３０Ａの下端３１はメッシュ部２０Ａとともに後身頃１２に縫着される。この覆い布３０Ａは、縦方向に二つのスリット状の開口部３５Ａが設けられている。この実施例では、覆い布３０Ａは、３０ａ，３０ｂ，３０ｃの３枚の布より構成されており、これらの布を縫着する際に、少なくとも一部を開口した状態で縫着することにより開口部３５Ａが形成されるのである。この例の開口部３５Ａは、図１に示すように、Ｘで表す大きさだけ縫着されておらず、開口した状態となっている。
【００１５】
一方、袖ぐり部１５沿いの帯状領域１６のメッシュ部表面２１Ｂに配される覆い布３０Ｂは、袖ぐり部１５の少なくとも一部を開口した状態で縫着されている。すなわち、前述のメッシュ部２０Ｂが縫着された袖部４１に対し少なくとも一部が縫着されずに開口した状態で縫着されるのである。この例の開口部３５Ｂは、図１に示すように、Ｙで表す大きさだけ縫着されておらず、開口した状態となっている。この覆い布３０Ｂは、背ヨーク下端１３ａにおいてメッシュ部２０Ｂとともに背ヨーク１３に縫着され、脇部１８においては、メッシュ部２０Ｂとともに前身頃に縫着される。また、覆い布３０Ｂの袖側と反対側の端もメッシュ部２０Ｂとともに後身頃１２に縫着される。
【００１６】
前記覆い布３０Ａ，３０Ｂは、請求項２の考案として規定したように、扁平断面を有するポリエステル繊維からなると、円形断面を有する従来の繊維に比べて身体との接触面積が大きくなるため、水分を効果的に吸収・拡散できるとともに熱の移動効率も向上し、得られるポロシャツ１０を吸水拡散、接触冷感に優れたより快適なものとすることができる。
【００１７】
実施例の前身頃（図示せず）、後身頃１２及び袖部４１は、いずれも覆い布３０Ａ，３０Ｂと同様の素材より構成されており、吸水拡散、接触冷感に優れたポロシャツ１０となっている。
【００１８】
この考案のポロシャツ１０によれば、前記開口部３５Ａ，３５Ｂとメッシュ部２０Ａ，２０Ｂとを通してポロシャツ１０の内外が連通されているため、外気が開口部３５Ａ，３５Ｂからメッシュ部２０Ａ，２０Ｂを透過してポロシャツ１０内に進入するとともに、ポロシャツ１０内の湿気や熱気がメッシュ部２０Ａ，２０Ｂを透過して開口部３５Ａ，３５Ｂより排出される構成となる。これによって、ポロシャツ１０内が換気され、湿気、蒸れ、べとつき等の不快感が軽減されるのである。
【００１９】
なお、この考案のベンチレーション付きポロシャツは、実施例では、半袖のポロシャツについて説明したが、これに限定されるものではなく、長袖のものでもよい。実施例として示した半袖のポロシャツの場合は、メッシュ部、覆い布、身頃及び袖部の素材として接触冷感に優れた素材を使用したが、長袖の場合は、これらの素材として、蓄熱性、保温性に優れた素材を使用してもよい。
【図面の簡単な説明】
【００２０】
【図１】本考案の一実施例に係るベンチレーション付きポロシャツの背面図である。
【図２】図１のベンチレーションの展開図である。
【符号の説明】
【００２１】
１０  ポロシャツ
１２  後身頃
１３  背ヨーク
１３ａ  背ヨーク下端
１５  袖ぐり部
１６  帯状領域
２０Ａ，２０Ｂ  メッシュ部
２１Ａ，２１Ｂ  メッシュ部表面
３０Ａ，３０Ｂ  覆い布
３５Ａ，３５Ｂ  開口部
【図１】
0003106813.tif 000003
【図２】
0003106813.tif 000004